(57)【要約】【課題】マンション等の高層の建物においては、効率性、安全性の面から外付枠の「ダレ下がり」防止工事を室内からできるようにすること。【解決手段】下枠２０の裏面に本体１０が固着され、かつ、前記下枠２０に設けられた孔２００を介して下枠２０の表面側から回転可能なネジ１１が前記本体１０に螺着されて構成されている。この金具１によれば、前記下枠２０の孔２００からドライバー等で前記ネジ１１を回すことができるので、後述のように室内側から前記下枠２０のダレ下がりを簡単に調整することができる。【選択図】　　　　図１
2004011334.tif 000002
【特許請求の範囲】
【請求項１】
ブラケットを介してサッシ枠に取付けられる外付枠のダレ下がりを防止するダレ下がり防止金具であって、その防止金具は、前記サッシ枠下枠の裏面に取付けられる本体と、該本体に螺着されたネジからなり、且つ、前記ネジは前記下枠の孔を介して下枠表面側からねじ回し可能に構成されていることを特徴とするダレ下がり防止金具。
【請求項２】
ブラケットを介してサッシ枠に取付けられる外付枠のダレ下がりを防止するダレ下がり防止金具であって、その防止金具は、前記サッシ枠下枠の裏面に取付けられる上蝶番と、躯体に取付けられる下蝶番と、両蝶番間に取付けられた本体からなることを特徴とするダレ下がり防止金具。
【発明の詳細な説明】
【０００１】
【発明の属する技術分野】
この発明は、ブラケットを介して建物開口部に取付けられる外付枠のダレ下がりを防止するダレ下がり防止金具である。
【０００２】
【従来の技術】
出願人は、防風、防雨、防犯の本来の雨戸の機能を保持させつつ、採光性を確保でき、且つ、外断熱を図ることができる雨戸を開発している。
このような雨戸を建物の開口部に外付けする場合には、雨戸等の重量による外付枠の「ダレ下がり」を防止する必要があるが、この場合、次のような課題がある。
【０００３】
【発明が解決しようとする課題】
第１に、マンション等の高層の建物においては、効率性、安全性の面から「ダレ下がり」防止工事を室内からできるようにすることが望ましい。
第２に、建物の開口部の納りには、種々の態様があり、各態様毎に個別に対応していたのでは、施工の効率が悪い。
例えば、開口部のサッシ枠の下枠下方に皿板がある場合とない場合がある。また、サッシ枠の室外側の面（サッシ面）と躯体の壁面（外壁面）の位置関係において、サッシ面が外壁面より室内側に位置する「内付タイプ」、サッシ面と外壁面が略一致する「半外付タイプ」、サッシ面が外壁面より室外側に位置する「外付タイプ」等の納りがある。これらの各納り毎に、個別にダレ下がり防止金具を作製していたのでは、施工の効率が悪い。
【０００４】
そこで本願では、上記課題を解決するためのダレ下がり防止金具を提供することを目的とする。
【０００５】
【課題を解決するための手段】
上記課題を解決するため、前記ダレ下がり防止金具（以下、単に金具ともいう）は、建物開口部を構成するサッシ枠の下枠裏面に取付けられる本体と、該本体に螺着されたネジからなり、且つ、前記ネジは前記下枠に設けられた孔を介して下枠表面側、即ち室内側からねじ回し可能になっていることを特徴とする（請求項１に記載の発明）。
この発明によれば、室内側からドライバー等で簡単に下枠のダレ下がりを直し、下枠を略水平に維持することができる。
【０００６】
上記課題を解決するため、前記金具は、前記下枠の裏面に取付けられる上蝶番と、躯体に取付けられる下蝶番と、両蝶番間に取付けられた本体からなることを特徴とする（請求項２に記載の発明）。
この発明によれば、上下の蝶番により、本体が所定の角度で変化するので、開口部の種々の納まりに対応させて下枠のダレ下がりを防止することができ、またその施工効率を向上させることができる。
【０００７】
【発明の実施の形態】
本発明に係るダレ下がり防止金具の実施形態を、図１、図２に基づいて説明する。
図１は金具及びこの金具を取付けた外付枠の下枠側面図、図２（イ）は同金具の平面図、同図（ロ）は同金具の分解図である。なお、上記各図及び後述の各図において、略同一の構成は同一の符号を用いて詳細な説明を省略する。
【０００８】
前記金具１は、図１のように外付枠２の下枠２０裏面に本体１０が固着され、かつ、前記下枠２０に設けられた孔２００を介して下枠２０の表面側から回転可能なネジ１１が前記本体１０に螺着されて構成されている。
この金具１によれば、前記下枠２０の孔２００からドライバー等で前記ネジ１１を回すことができるので、後述のように室内側から前記下枠２０のダレ下がりを簡単に調整することができる。
【０００９】
前記本体１０は、前記ネジ１１を螺着するため、めねじが切られた螺着部１００と取付板１０１とからなる。その取付板１０１の中心には、前記下枠孔２００に対応する貫通孔１０２が設けられている。
前記ネジ１１は、前記螺着部１００に対応するおねじ１１０が切られていると共に、ネジの頭１１１には「−」又は「＋」の溝が設けられ、先端１１２は、略平坦に形成されている。
上記のように構成された金具１は、前記貫通孔１０２と下枠孔２００を一致させて、下枠２０裏面に前記取付板１０１が固定され、取付けられる。下枠裏面に固定される前記金具１の必要数は、外付枠２のサイズに左右され、概ね２〜３個とする。
なお、前記本体１０は筒状に形成されているが、これに限定されるものではなく、また取付板２１０１の形状は長方体に限定されるものではない。
【００１０】
次に、図３に基づき上記金具１の使用例を説明する。
予め外付枠２に前記金具１を取付け、サッシ枠７の網戸レール、左右縦枠及び上枠の数箇所に、それぞれタタキ込み式のブラケット４（図４参照）の挟付部４０を打込んで挟み付け、それらのブラケット４に前記外付枠２を固定し、雨戸３を組込む。
なお、前記金具ネジ１１の先端１１２が当たる皿板２１の該当箇所に座板５を敷くことが望ましい。雨戸３等の重量の分散を図ると共に、皿板２１を傷つけないようにするためである。
その後、雨戸３等の重量による前記外付枠２のダレさがりを、前記ネジ１１の回転により調整し、下枠２０が略水平を保持できるように、下枠２０の高低を調整する。
前記雨戸３の雨戸框３０には複数のスラット３１が開閉可能に配置されていると共に、スラット３１を開いた状態で、雨戸３を引違い可能に前記外付枠２に組付けられるようになっている。
【００１１】
この金具１によれば、１）外付枠２の設置時に、室内側からドライバー等で簡単に外付枠２のダレ下がりを是正することができる、２）外付枠２の設置後でも、簡単に外付枠２の高さの微調整を行なうことができる、３）サッシ枠７、皿板２１等の開口部をきずつけることがない等の効果を奏する。
【００１２】
次に、本発明に係る金具の第２実施形態の構成例を図５及び図６に基づいて説明する。
図５は金具及びこの金具を取付けた外付枠の下枠側面図、図６は同金具の分解図である。
【００１３】
前記金具６は、図５に示したように外付枠２の下枠２０側に固着される上蝶番６０と、躯体側に固着される下蝶番６１と、上蝶番６０と下蝶番６１間に取付けられる本体６２から構成されている。
【００１４】
前記本体６２は、両端にそれぞれ軸部６２０を備えて、ピース材状又は長尺材状に形成されている。
前記上蝶番６０は、前記本体６２の軸部６２０を支える軸受部６００と前記下枠２０に固定される固定部６０１を備える。そして軸受部６００が下枠２０に接し、且つ、その切欠き６０２が躯体側に臨むように、軸受部６００は固定部６０１に対して略直角に形成されている。なお、後述の図８に示した上蝶番６０のように、軸受部６００が固定部６０１に対して逆方向に略直角に形成してもよい。
【００１５】
前記下蝶番６１は、前記本体６２の他方の軸部６２０を支える軸受部６１０と躯体側に固定される固定部６１１を備えると共に、その軸受部６１０に切欠き６１２が形成されている。
前記上下蝶番６０、６１の切欠き６０２、６１２は、前記本体６２を略５０度程度に回動できるように切欠かれている。
前記上下蝶番６０、６１は、前記本体６２と同様にピース状又は長尺状に形成されている。
【００１６】
前記本体６２の各軸部６２０は略円柱状に成形され、これら各軸部６２０と嵌まり合うように、前記上下蝶番６０、６１の軸受部６００、６１０が成形されており、前記本体６２と前記上下蝶番６０、６１はそれぞれ着脱自在に形成可能である。従って、サッシ面と外壁面の種々の距離関係に対応できるように、前記本体６２のサイズにつき、長短の２種類を準備して、施工現場等で上下蝶番６０、６１への付替えを行っても良い。
【００１７】
上記のように構成された金具６は、下枠２０に形成された取付部２０１に、ネジ持ち２０２を取付け、そのネジ持ち２０２に前記上蝶番６０が固定される。そして、下蝶番６１は、ホールインアンカー等を介して躯体側に固定される。
【００１８】
次に、図７及び図８に基づき上記金具の使用例を説明する。
図７は、サッシ枠７のサッシ面と外壁面が揃っている納りに、前記外付枠２を取付けた場合の開口部断面図である。
予め外付枠２に前記上蝶番６０を取付けて前記金具６を固定し、上述のようにサッシ枠７の網戸レール、左右縦枠及び上下枠の数箇所に、前記ブラケット４を打込んで挟み付け、それらのブラケット４に前記外付枠２を固定する。そして、前記外付枠２が略水平を維持する位置で、前記下蝶番６１を躯体側に固定する。その後、雨戸３を組込むようにする。
【００１９】
なお、この金具６によれば、図８に示したように、サッシ枠７のサッシ面と外壁面が揃っている場合の納め、サッシ枠７のサッシ面が外壁面に対して室内側に入り込んでいる場合の納め等の場合にも、外付枠２のダレ下がりを防ぐことができる。
即ち、金具６によれば、サッシ面と外壁面の距離に合わせて前記下蝶番６１を躯体側に固定することができるので、各開口部の納まりの相違に対応させることができる。
【００２０】
以上、前記金具６によれば、１）　皿板２１が設けられていない開口部に外付枠２を取付ける場合のダレ下がりを防ぐことができる、２）　サッシ面と外壁面の位置関係において、１種類の金具６により「内付タイプ」、「半外付タイプ」、「外付タイプ」等の納りに対応させることができる、等の作用効果を奏する。
【００２１】
【発明の効果】
請求項１に記載の発明によれば、室内側からドライバー等で簡単に下枠のダレ下がりを直し、下枠を略水平に維持することができる。
【００２２】
請求項２に記載の発明によれば、上下の蝶番により、本体が所定の角度で変化するので、開口部の種々の納りに対応させて下枠のダレ下がりを防止することができ、またその施工効率を向上させることができる。
【図面の簡単な説明】
【図１】第１実施形態に係るダレ下がり防止金具の側面図、
【図２】（イ）　同金具の平面図、（ロ）　同金具の分解図、
【図３】同金具の使用例図、
【図４】ブラケットの斜視図、
【図５】第２実施形態に係るダレ下がり防止金具の側面図、
【図６】同金具の分解図、
【図７】同金具の使用例図、
【図８】同金具の使用例図。
【符号の説明】
１　前記金具　　　　　　　１０　本体　　　　　　　１１　ネジ
１００　螺着部　　　　　　１０１　取付板　　　　　１０２　貫通孔
２　外付枠　　　　　　　　２０　下枠　　　　　　　２００　孔
２１　皿板
３　雨戸　　　　　　　　　３０　雨戸框　　　　　　３１　スラット
４　ブラケット　　　　　　４０　挟付部
６　前記金具　　　　　　　６０　上蝶番　　　　　　６１　下蝶番
６２　本体　　　　　　　　６２０　軸部　　　　　　６００　６１０　軸受部
６０１　６１１　固定部　　６０２　６１２　切欠き
７　サッシ枠
【図１】
2004011334.tif 000003
【図２】
2004011334.tif 000004
【図３】
2004011334.tif 000005
【図４】
2004011334.tif 000006
【図５】
2004011334.tif 000007
【図６】
2004011334.tif 000008
【図７】
2004011334.tif 000009
【図８】
2004011334.tif 000010